(57)【特許請求の範囲】
【請求項１】
光を放射する光源と、
前記光源が収容されたハウジングと、
前記光源が裏面側に配置されたレンズと、
前記レンズの表面の一部分を被覆した遮光性を有する装飾部材と、
前記レンズの表面にて前記装飾部材から露出する露出部と、
前記レンズの外周縁部と前記ハウジングとが接合された部分である第１〜第３接合部と
を備えた照明装置であって、
前記レンズの外周縁部および前記装飾部材の外周縁部により照明装置の外周縁が形成され、
前記第１接合部は、前記露出部の外周縁部の裏面側に配置され、
前記第２接合部は、前記装飾部材の外周縁部の裏面側に配置され、
前記第３接合部は、前記第１接合部と前記第２接合部とを接続する部分であり、前記装飾部材の裏面側に配置されている照明装置。
【請求項２】
前記露出部の外周縁部には、外周端面に向かって前記レンズが薄くなるように形成された傾斜面を備え、
前記傾斜面は前記第１接合部を被覆する、
請求項１に記載の照明装置。
【請求項３】
前記レンズと前記光源との間に配置された板状の導光体を備え、
前記傾斜面は前記導光体の端部を被覆する、
請求項２に記載の照明装置。
【請求項４】
前記レンズまたは前記ハウジングのいずれか一方に形成された畝状の係合凸部と、
前記レンズまたは前記ハウジングの他方に形成された溝状の係合凹部と
を備え、
前記係合凸部を前記係合凹部に係合させることにより、前記レンズと前記ハウジングとが液密状態に接合される、
請求項１〜３のいずれか一項に記載の照明装置。
【発明の詳細な説明】
【技術分野】
【０００１】
本発明は照明装置に関するものである。
【背景技術】
【０００２】
特許文献１には、透明な表示板の背面側にケースを配設し、表示板とケースとの間に導光板を配設し、表示板の周壁部とケースの表面周縁部とを溶着や接着により結合固定し、導光板の表面から出射された光を表示板を透過させて外部へ放射する照明装置が開示されている。
【先行技術文献】
【特許文献】
【０００３】
【特許文献１】実開平３−８４８９０号公報
【発明の概要】
【発明が解決しようとする課題】
【０００４】
従来より、自動車のオーナメントに照明装置を取り付けてイルミネーションを構成する技術（イルミネーション付オーナメント）が知られており、特許文献１の照明装置はその一例である。
このイルミネーション付オーナメントでは、遮光性を有する装飾部材を表面に取り付けることにより、意匠性を更に高めることが考えられる。
【０００５】
特許文献１の照明装置において、遮光性を有する装飾部材を前記表示板の表面側に取り付け、その装飾部材により前記表示板の一部分を覆うようにした場合には、前記表示板と前記ケースとの結合部分（接合部）が装飾部材を迂回するように、結合部分を配置する必要がある。
そのため、結合部分の面積分だけ、装飾部材から露出する前記表示板の面積が減少することから、意匠性が損なわれるという問題がある。
【０００６】
また、特許文献１の照明装置では、前記表示板と前記ケースとの結合部分（接合部）が、透明な前記表示板を通して外部から見えてしまうため、照明装置の意匠性が損なわれるという問題がある。
特に、結合部分に溶着を用いた場合には、結合部分の見栄えが悪いため、意匠性が大きく損なわれる。
【０００７】
本発明は前記問題を解決するためになされたものであって、その目的は、意匠性に優れた照明装置を提供することにある。
【課題を解決するための手段】
【０００８】
本発明者らは前記課題を解決するために鋭意検討を重ねた結果、下記のように本発明の各局面に想到した。
【０００９】
＜第１の局面＞
第１の局面は、
光を放射する光源と、
光源が収容されたハウジングと、
光源が裏面側に配置されたレンズと、
レンズの表面の一部分を被覆した遮光性を有する装飾部材と、
レンズの表面にて装飾部材から露出する露出部と、
レンズの外周縁部とハウジングとが接合された部分である第１〜第３接合部と
を備えた照明装置であって、
レンズの外周縁部および装飾部材の外周縁部により照明装置の外周縁が形成され、
第１接合部は、露出部の外周縁部の裏面側に配置され、
第２接合部は、装飾部材の外周縁部の裏面側に配置され、
第３接合部は、第１接合部と第２接合部とを接続する部分であり、装飾部材の裏面側に配置されている照明装置。
【００１０】
第１の局面では、光源の放射光がレンズの露出部から照明装置の外部へ放射され、露出部の全体が発光することにより、優れた美観の照明装置を実現できる。
ここで、第１の局面では、第３接合部が装飾部材の裏面側に配置されているため（換言すると、第３接合部を装飾部材の下側に潜り込ませているため）、第３接合部を露出部の裏面側に配置した場合に比べて、第３接合部の面積分だけ露出部の面積を大きくすることが可能であり、意匠性を高めることができる。
【００１１】
ところで、第３接合部を露出部の裏面側に配置した場合には、露出部における第３接合部の上方に位置する部分からは光が放射されず、その部分は非発光部分となるため、全体が発光する露出部分との対比により、その非発光部分が非常に目立ってしまい、照明装置の一体感が損なわれることから、見栄えが著しく悪化するという欠点がある。
それに対して、第１の局面では、第３接合部が装飾部材の裏面側に配置されているため、非発光部分が存在せず、照明装置の一体感が損なわれるのを防止可能であることから、意匠性を更に高めることができる。
【００１２】
また、第１の局面では、第３接合部が装飾部材の裏面側に配置されており、第３接合部が装飾部材によって被覆されるが、第３接合部が第１接合部と第２接合部とを接続する部分であるため、装飾部材における第３接合部を被覆する部分の面積を小さくすることが可能であり、その分だけ露出部の面積が大きくなることから、意匠性を更に高めることができる。
【００１３】
＜第２の局面＞
第２の局面は、第１の局面において、露出部の外周縁部には、外周端面に向かってレンズが薄くなるように形成された傾斜面を備え、その傾斜面は第１接合部を被覆する。
ここで、露出部の外周縁部の裏面側には第１接合部が配置されており、特に、溶着を用いて第１接合部を形成した場合には、第１接合部の見栄えが悪くなる。
それに対して、第２の局面では、露出部の外周縁部に傾斜面を備え、傾斜面での反射や屈折の作用により、照明装置の外部からレンズを透して第１接合部が見え難くなることから、意匠性を高めることができる。
【００１４】
＜第３の局面＞
第３の局面は、第２の局面において、レンズと光源との間に配置された板状の導光体を備え、傾斜面は導光体の端部を被覆する。
第３の局面において、光源の放射光は、導光体の裏面を入射面として導光体に入射され、導光体の内部を面方向全体に拡散されて導光され、導光体の表面を出射面として出射される。
【００１５】
そして、導光体の出射光は、レンズの裏面を入射面としてレンズ内に入射され、レンズの露出部から放射される。
従って、第３の局面では、レンズを面積の大きな略板状にすることが可能になるため、第１の局面の前記作用・効果を更に高めることができる。
さらに、レンズの傾斜面が導光体の端部を被覆するため、傾斜面での反射や屈折の作用により、導光体の端部とハウジングとの隙間部分が、照明装置の外部からレンズを透して見え難くなることから、意匠性を高めることができる。
【００１６】
＜第４の局面＞
第４の局面は、第１〜第３の局面において、
レンズまたはハウジングのいずれか一方に形成された畝状の係合凸部と、
レンズまたはハウジングの他方に形成された溝状の係合凹部とを備え、
係合凸部を係合凹部に係合させることにより、レンズとハウジングとが液密状態に接合される。
【００１７】
第４の局面では、ハウジング内への液体の浸入を防止可能になるため、光源が液体に曝されることがなく、特に、照明装置を屋外で使用する場合（例えば、車両の外装部材として用いる場合）に防水性を向上できる。
【図面の簡単な説明】
【００１８】
【図１】図１（Ａ）は、本発明を具体化した一実施形態の照明装置１０の上面図。図１（Ｂ）は、照明装置１０の横断面の端面図であり、図１（Ａ）におけるＸ１−Ｘ１矢示端面図。図１（Ｃ）は、照明装置１０の横断面の端面図であり、図１（Ａ）におけるＸ２−Ｘ２矢示端面図。
【図２】図２（Ａ）は、照明装置１０の縦断面の端面図であり、図１（Ａ）および図（Ｃ）におけるＹ１−Ｙ１矢示端面図。図２（Ｂ）は、照明装置１０の横断面の端面図であり、図１（Ａ）および図（Ｃ）におけるＹ２−Ｙ２矢示端面図。
【図３】照明装置１０の要部縦断面の端面図。
【発明を実施するための形態】
【００１９】
以下、本発明を具体化した一実施形態の照明装置１０について図面を参照しながら説明する。尚、各図面では、説明を分かり易くするために、照明装置１０の構成部材の寸法形状および配置箇所を誇張して模式的に図示してあり、各構成部材の寸法形状および配置箇所が実物とは必ずしも一致しないことがある。
【００２０】
図１〜図３に示すように、照明装置１０は、 装飾部材２０（切欠部２１，２２、メッキ層Ｍ）、装飾部材３０（切欠部３１、メッキ層Ｍ）、レンズ４０（取付凹部４１，４２、露出部４３，４４、延出部４５〜４７、係合凸部４８、傾斜面４９）、シート材５０、導光体６０（凹部６１，６２）、ハウジング７０（収容凹部７１、接続部７２、係合凹部７３）、発光部材８１，８２（ＬＥＤ８３、配線基板８４）、第１接合部Ｐ１、第２接合部Ｐ２、第３接合部Ｐ３などを備え、自動車のイルミネーション付オーナメントとして用いられる。
ちなみに、オーナメントとは、自動車に取付けられるエンブレムや自動車メーカーのロゴ等の装飾品全般を指すものである。
【００２１】
装飾部材２０は、平面視矩形略平板状であり、短手方向の両端部が裏面側に鈍角を成して折り曲げられ、装飾部材２０の図示左隅部分には切欠部２１が形成され、装飾部材２０の図示右隅部分には切欠部２２が形成されている。
装飾部材３０は、平面視矩形略平板状であり、平面視三辺部分が裏面側に鈍角を成して折り曲げられ、その三辺部分を除く残り一辺の隅部分には切欠部３１が形成されている。
【００２２】
尚、装飾部材２０，３０は、合成樹脂材料（例えば、ＡＢＳ樹脂など）の射出成形により一体形成されており、装飾部材２０，３０の表面側には、反射性および装飾性の高い金属材料（例えば、クロム合金など）のメッキ層Ｍが形成され、そのメッキ層Ｍにより装飾部材２０，３０は遮光性を有している。
また、メッキ層Ｍの表面には、装飾用の文字符号やロゴ等（図示略）が印刷されている。
【００２３】
レンズ４０は、長手方向の図示左側が半円形を成す平面視矩形略平板状であり、レンズ４０の裏面側は平坦に形成され、レンズ４０の表面側には、僅かに凹んだ形状の取付凹部４１，４２が穿設されると共に、取付凹部４１の図示左側の部分である露出部４３と、取付凹部４１，４２間の部分である露出部４４とがレンズ４０の表面から露出している。
尚、レンズ４０は、透明な合成樹脂材料（例えば、アクリル樹脂など）の射出成形により一体形成されている。
【００２４】
レンズ４０の短手方向における露出部４３の図示右端部には、レンズ４０の長手方向に延出された延出部４５が形成されている。
レンズ４０の短手方向における露出部４４の両端部にはそれぞれ、レンズ４０の長手方向に延出された延出部４６，４７が形成されている。
また、レンズ４０の裏面側の外周縁部全周には、レンズ４０の裏面側に突出する断面略三角形の畝状の係合凸部（係合突起）４８が立設されている
【００２５】
そして、露出部４３の表面側の外周縁部において、取付凹部４１と接続されない部分には、外周端面に向かってレンズ４０が薄くなるように、傾斜面（Ｃ面）４９が形成されている。
また、露出部４４の表面側の外周縁部において、取付凹部４１，４２と接続されない部分にも、傾斜面４９が形成されている。
【００２６】
シート材５０は、レンズ４０の平面視寸法形状より一回り小さな寸法形状のシート状であり、透明な合成樹脂材料によって形成され、装飾用の各種加工（例えば、着色加工、ハーフミラー加工、模様の印刷加工など）が施されている。
【００２７】
導光体６０は、シート材５０と平面視同一寸法形状の略平板状を成しており、透明な合成樹脂材料（例えば、アクリル樹脂、ポリカーボネート樹脂など）の射出成形により一体形成されている。
また、導光体６０の表面側には、断面三角形溝状の凹部６１，６２が穿設されている。
【００２８】
ハウジング７０は、上面側が開口された箱状であり、ハウジング７０の底面部分に形成された収容凹部７１と、ハウジング７０の外周縁部と収容凹部７１とを接続する接続部７２とを備え、合成樹脂材料の射出成形により一体形成されている。
また、ハウジング７０の外周縁部全周の上端面には、断面略三角形の溝状の係合凹部７３が穿設されている。
【００２９】
同一構成の発光部材８１，８２は、照明装置１０の長手方向に沿って並べて配置され、ＬＥＤ８３と、ＬＥＤ８３が実装された配線基板８４とを備える。
尚、ＬＥＤ８３は、どのような光源（例えば、ＥＬ素子などの半導体発光素子、電球など）に置き換えてもよい。
【００３０】
［照明装置１０の組み立て方］
照明装置１０を組み立てるには、まず、発光部材８１，８２のＬＥＤ８３がハウジング７０の開口側を向くように、発光部材８１，８２をハウジング７０の収容凹部７１内に収容して取付固定する。
そして、ハウジング７０に形成されているコネクタ（図示略）と発光部材８１，８２の接続端子（図示略）とを、収容凹部７１内に配置された接続ケーブル（図示略）によって接続する。
【００３１】
次に、導光体６０の凹部６１，６２が外方を向くように、導光体６０をハウジング７０内に収容し、導光体６０の外周縁部の裏面側をハウジング７０の接続部７２の内壁面に当接させる。
続いて、導光体６０の表面上にシート材５０を被着させ、平面視同一寸法形状の導光体６０とシート材５０とを位置ズレ無く重ね合わせる。
【００３２】
そして、レンズ４０の取付凹部４１，４２が外方を向くように、ハウジング７０の開口側にレンズ４０を被着させ、レンズ４０の裏面側外周縁部の係合凸部４８を、ハウジング７０の外周縁部上端面の係合凹部７３に係合させた状態で、図１（Ａ）に示す第１〜第３接合部（接合ライン）Ｐ１〜Ｐ３にて、係合凸部４８と係合凹部７３とを超音波溶着することにより、レンズ４０の外周縁部とハウジング７０の外周縁部とが液密状態になるように接合固定する。
ここで、係合凸部４８と係合凹部７３とが隙間無く係合されるように、係合凸部４８および係合凹部７３の寸法形状が設定されている。
【００３３】
尚、ハウジング７０とレンズ４０との接合固定の方法は、良好な液密状態が得られるならば、超音波溶着に限らず、どのような溶着法（例えば、振動溶着、誘導溶着、高周波溶着、半導体レーザー溶着、ヒーターを用いた熱溶着など）を用いてもよく、更には、溶着法に限らず、どのような方法（例えば、ネジ止め、接着など）を用いてもよい。
【００３４】
すると、レンズ４０の裏面側と、ハウジング７０の接続部７２の内壁面との間で、シート材５０と導光体６０とが挟持固定され、レンズ４０に対してシート材５０および導光体６０が設定位置に位置決めされる。
その結果、レンズ４０とシート材５０と導光体６０とハウジング７０とが一体物となる。
【００３５】
その後、レンズ４０に装飾部材２０，３０を被着させ、レンズ４０の取付凹部４１，４２にそれぞれ装飾部材２０，３０を嵌合させた状態で、レンズ４０と装飾部材２０，３０とを接合固定すると、レンズ４０および装飾部材２０，３０の表面側は略面一になり、照明装置１０が一体物となって組み立てが完成する。
尚、レンズ４０と装飾部材２０，３０との接合固定の方法は、確実な固定状態が得られるならば、どのような方法（例えば、ネジ止め、接着、超音波溶着など）を用いてもよい。
【００３６】
ここで、レンズ４０の取付凹部４１，４２と、装飾部材２０，３０とがそれぞれ確実に嵌合されるように、取付凹部４１，４２および装飾部材２０，３０の寸法形状が設定されている。
また、レンズ４０の延出部４５，４６と、装飾部材２０の切欠部２１，２２とがそれぞれ確実に嵌合されるように、延出部４５，４６および切欠部２１，２２の寸法形状が設定されている。
また、レンズ４０の延出部４７と、装飾部材３０の切欠部３１とが確実に嵌合されるように、延出部４７および切欠部３１の寸法形状が設定されている。
【００３７】
その後、ハウジング７０に形成されているコネクタ（図示略）を車両のワイヤーハーネス（図示略）に接続し、車載バッテリ（図示略）からワイヤーハーネスを介して照明装置１０へ直流電源を供給させ、発光部材８１，８２のＬＥＤ８３を発光させる。
【００３８】
［照明装置１０の動作］
発光部材８１，８２のＬＥＤ８３の放射光は、導光体６０の裏面を入射面として導光体６０内に入射され、導光体６０の凹部６１，６２の内壁面を反射面として反射・屈折され、導光体６０内を面方向全体に拡散されて導光され、導光体６０の表面全面を出射面として出射される。
導光体６０の出射光は、レンズ４０の裏面を入射面としてレンズ４０内に入射され、装飾部材２０，３０から露出しているレンズ４０の露出部４３，４４の表面から放射される。
【００３９】
ここで、発光部材８１，８２のＬＥＤ８３の配置箇所および導光体６０の凹部６１，６２の配置箇所は、発光部材８１，８２のＬＥＤ８３の放射光が導光体６０内を面方向全体に拡散されるように設定されている。
尚、導光体６０の表面に形成した凹部６１，６２による反射・屈折を用いることにより、導光体６０を面状発光装置（面状照明装置）として機能させる技術は、公知技術（例えば、特開２０１２−４３６１７号公報など）であるため詳述は省略する。
【００４０】
［実施形態の作用・効果］
本実施形態の照明装置１０によれば、以下の作用・効果を得ることができる。
【００４１】
［１］照明装置１０は、ＬＥＤ８３（光源）と、ＬＥＤ８３が収容されたハウジング７０と、ＬＥＤ８３が裏面側に配置されたレンズ４０と、レンズ４０の表面の一部分を被覆した遮光性を有する装飾部材２０，３０と、レンズ４０の表面にて装飾部材２０，３０から露出する露出部４３，４４と、レンズ４０の外周縁部とハウジング７０とが接合された部分である第１〜第３接合部Ｐ１〜Ｐ３とを備える。
【００４２】
そして、レンズ４０の外周縁部および装飾部材２０，３０の外周縁部により照明装置１０の外周縁が形成される。
第１接合部Ｐ１は、露出部４３，４４の外周縁部の裏面側に配置されている。
第２接合部Ｐ２は、装飾部材２０，３０の外周縁部の裏面側に配置されている。
第３接合部Ｐ３は、第１接合部Ｐ１と第２接合部Ｐ２とを接続する部分であり、装飾部材２０，３０の裏面側に配置されている。
【００４３】
照明装置１０では、ＬＥＤ８３の放射光がレンズ４０の露出部４３，４４から照明装置１０の外部へ放射され、レンズ４０の露出部４３，４４全体が発光することにより、優れた美観を実現できる。
ここで、照明装置１０では、第３接合部Ｐ３が装飾部材２０，３０の裏面側に配置されているため（換言すると、第３接合部Ｐ３を装飾部材２０，３０の下側に潜り込ませているため）、第３接合部Ｐ３を露出部４３，４４の裏面側に配置した場合に比べて、第３接合部Ｐ３の面積分だけ露出部４３，４４の面積を大きくすることが可能であり、意匠性を高めることができる。
【００４４】
ところで、第３接合部Ｐ３を露出部４３，４４の裏面側に配置した場合には、露出部４３，４４における第３接合部Ｐ３の上方に位置する部分からは光が放射されず、その部分は非発光部分となるため、全体が発光する露出部４３，４４分との対比により、その非発光部分が非常に目立ってしまい、照明装置の一体感が損なわれることから、見栄えが著しく悪化するという欠点がある。
それに対して、照明装置１０では、第３接合部Ｐ３が装飾部材２０，３０の裏面側に配置されているため、非発光部分が存在せず、照明装置の一体感が損なわれるのを防止可能であることから、意匠性を更に高めることができる。
【００４５】
また、照明装置１０では、第３接合部Ｐ３が装飾部材２０，３０の裏面側に配置されており、第３接合部Ｐ３が装飾部材２０，３０によって被覆されるが、第３接合部Ｐ３が第１接合部Ｐ１と第２接合部Ｐ２とを接続する部分であるため、装飾部材２０，３０における第３接合部Ｐ３を被覆する部分の面積を小さくすることが可能であり、その分だけ露出部４３，４４の面積が大きくなることから、意匠性を更に高めることができる。
【００４６】
［２］レンズ４０の露出部４３，４４の外周縁部には、外周端面に向かってレンズ４０が薄くなるように形成された傾斜面４９を備え、傾斜面４９は第１接合部Ｐ１を被覆する。
ここで、露出部４３，４４の外周縁部の裏面側には第１接合部Ｐ１が配置されており、特に、超音波溶着を用いて第１接合部Ｐ１を形成した場合には、第１接合部Ｐ１の見栄えが悪くなる。
【００４７】
それに対して、照明装置１０では、図３の矢印αに示すレンズ４０の傾斜面４９での反射や、傾斜面４９での屈折（図示略）の作用により、照明装置１０の外部からレンズ４０を透して第１接合部Ｐ１が見え難くなることから、意匠性を高めることができる。
さらに、レンズ４０の傾斜面４９がシート材５０の端部および導光体６０の端部をも被覆するため、これらの端部とハウジング７０との隙間部分が、傾斜面４９での反射や屈折の作用により、照明装置１０の外部からレンズ４０を透して見え難くなることから、意匠性を高めることができる。
【００４８】
［３］照明装置１０は、レンズ４０の外周縁部に形成された畝状の係合凸部４８と、ハウジング７０の外周縁部に形成された溝状の係合凹部７３とを備え、係合凸部４８を係合凹部７３に係合させることにより、レンズ４０とハウジング７０とが液密状態に接合される。
そのため、ハウジング７０内への液体の浸入を防止可能になるため、ハウジング７０に収容された発光部材８１，８２（ＬＥＤ８３、配線基板８４）が液体に曝されることがなく、防水性を向上できる。
【００４９】
［４］照明装置１０は、レンズ４０とＬＥＤ８３との間に配置された板状の導光体６０を備えるため、レンズ４０を面積の大きな略板状にすることが可能になり、前記［１］の作用・効果を更に高めることができる。
【００５０】
＜別の実施形態＞
本発明は前記実施形態に限定されるものではなく、以下のように具体化してもよく、その場合でも、前記実施形態と同等もしくはそれ以上の作用・効果を得ることができる。
【００５１】
［Ａ］前記実施形態では、レンズ４０に係合凸部４８を形成し、ハウジング７０に係合凹部７３を形成している。
しかし、レンズ４０に係合凹部を形成し、ハウジング７０に係合凸部を形成し、レンズ４０の係合凹部とハウジング７０の係合凸部を係合させてもよい。
【００５２】
［Ｂ］装飾部材２０，３０からメッキ層Ｍを省いてもよく、その場合には、例えば、装飾部材２０，３０を遮光性を有する材料で形成したり、装飾部材２０，３０の表面に遮光性を有する塗装を施すことにより、遮光性を有する装飾部材２０，３０を具体化すればよい。
【００５３】
［Ｃ］装飾部材２０，３０、レンズ４０、シート材５０、導光体６０は、どのような平面形状であってもよい。
【００５４】
［Ｄ］発光部材８１，８２は、２個に限らず、３個以上の適宜な個数設けてもよい。
その場合には、前記実施形態と同じく、導光体６０の凹部６１，６２を発光部材毎に設ければよい。
【００５５】
［Ｅ］照明装置１０は自動車のイルミネーション付オーナメントに適用したものであるが、本発明は車両用に限らず、どのような物品（例えば、電気製品、家具など）の照明に適用してもよい。
【００５６】
本発明は、前記各局面および前記実施形態の説明に何ら限定されるものではない。特許請求の範囲の記載を逸脱せず、当業者が容易に想到できる範囲で種々の変形態様も本発明に含まれる。本明細書の中で明示した公報などの内容は、その全ての内容を援用によって引用することとする。
【符号の説明】
【００５７】
１０…照明装置
２０，３０…装飾部材
４０…レンズ
４８…レンズ４０の係合凸部
４９…レンズ４０の傾斜面
６０…導光体
７０…ハウジング
７３…ハウジング７３の係合凹部
８１，８２…発光部材
８３…ＬＥＤ（光源）
Ｐ１…第１接合部
Ｐ２…第２接合部
Ｐ３…第３接合部
【図１】
0005994759.tif 000002
【図２】
0005994759.tif 000003
【図３】
0005994759.tif 000004